(57)【要約】【課題】見栄えの低下や占有スペースの増大を招くことなく、利便性の向上と操作性の向上を図ることのできる点滴スタンドを提供する。【解決手段】支柱部３に連結されるハンドルアタッチメント１６に、上面に物品２６が載置可能な平板状のトレー２１と、トレー２１の物品載置面２１ａの少なくとも一部の上方に配置されトレー２１上に載置された物品２６の落下を規制するハンドル本体２０と、を設ける。ハンドル本体２０とトレー２１の間に、操作者がハンドル本体２０を把持ハンドルとして把持可能な把持空間部２５を設ける。【選択図】図３
2014233399.tif 000002
【特許請求の範囲】
【請求項１】
上下方向に沿って延出する支柱部に、輸液パックが輸液吊り下げ具を介して吊り下げ支持される点滴スタンドであって、
物品が載置可能な物品載置面を有するトレーと、前記トレーの物品載置面の少なくとも一部の上方に配置され前記トレー上に載置された物品の落下を規制するガイド部材と、を備え、
前記トレーと前記ガイド部材が直接若しくは間接的に前記支柱部に連結され、
前記ガイド部材と前記トレーの間に、操作者が前記ガイド部材を把持ハンドルとして把持可能な把持空間部が設けられていることを特徴とする点滴スタンド。
【請求項２】
前記トレーには、前記支柱部が上下方向に挿通される挿通孔が設けられていることを特徴とする請求項１に記載の点滴スタンド。
【請求項３】
前記挿通孔は、上面視で、前記トレーの中心からオフセットした位置に設けられていることを特徴とする請求項２に記載の点滴スタンド。
【請求項４】
前記トレーの外周縁部に沿う上方位置に前記ガイド部材が配設されていることを特徴とする請求項１〜３のいずれか１項に記載の点滴スタンド。
【請求項５】
前記ガイド部材は、上面視で、内周面が前記トレーの外周面よりも外側、若しくは、略同一位置となるように形成されていることを特徴とする請求項４に記載の点滴スタンド。
【請求項６】
前記ガイド部材は、上面視で、前記トレーの外縁形状と相似形状をなすように形成されていることを特徴とする請求項１〜５のいずれか１項に記載の点滴スタンド。
【請求項７】
前記ガイド部材は、上面視で、環状をなすように形成されていることを特徴とする請求項１〜６のいずれか１項に記載の点滴スタンド。
【発明の詳細な説明】
【技術分野】
【０００１】
この発明は、病院、介護施設、自宅等において患者に点滴を行う際等に用いられる点滴スタンドに関するものである。
【背景技術】
【０００２】
病院や介護施設、自宅等において、患者に対する治療活動として点滴を打つケースが多く見られる。点滴は、輸液パックを患者よりも高い位置に配置し、重力を利用して輸液パック内の輸液を患者の体内に送るという仕組みであるため、輸液パックを患者の上方に支持しておく点滴スタンドを用いるのが一般的である。
【０００３】
こうした点滴スタンドの基本構成としては、床面上に載置される脚部に、上下方向に沿って延出する支柱部が取り付けられ、その支柱部の上端部に輸液吊り下げ具が取り付けられているのが一般的である（例えば、特許文献１〜３参照）。
特許文献１〜３に記載の点滴スタンドは、輸液吊り下げ具が、支柱部の上端から略水平方向に延出する一対のアーム部と、各アーム部の先端部に設けられて輸液パックを直接吊り下げるためのフック部と、を備えた構成とされている。また、これらの点滴スタンドは、いずれも患者や看護師等が必要に応じてスタンドを自由に移動できるように脚部にキャスタが設けられている。
こうした使い勝手においては、移動する際の患者の所有物を載置したり、輸液パックを吊り下げる作業時の作業面として、点滴スタンドにトレー（物品載置台）が設けられているのが望ましい。このような構成とした場合には、点滴スタンドとしての利便性をより向上させることができる。
【０００４】
また、点滴スタンドを移動させる際には、点滴スタンドの支柱部と一体の把持ハンドルが存在することが望ましく、このような把持ハンドルを備えた点滴スタンドが従来より案出されている（例えば、特許文献２参照）。
特許文献２に記載の点滴スタンドは、円環状のハンドル本体と、支柱部の外面に固定されるボス部と、ボス部とハンドル本体を連結する連結部とによって構成される把持ハンドルが設けられている。この特許文献２に記載の点滴スタンドにおいては、支柱部の周囲のいずれの方向からでも把持ハンドルを把持してスタンドを移動させることができるとともに、複数人で把持ハンドルを把持してスタンドを操作することもできる。このため、点滴スタンドとしての操作性が良好なものとなっている。
【先行技術文献】
【特許文献】
【０００５】
【特許文献１】特開２０１２−０１０７１８号公報
【特許文献２】特開２０１３−０１７６５３号公報
【特許文献３】特許第３４６６１８０号公報
【発明の概要】
【発明が解決しようとする課題】
【０００６】
ところで、現在、点滴スタンドの利便性と操作性を高めるために、点滴スタンドの支柱部に、上記のようなトレーと把持ハンドルとを設けることを検討している。しかし、単純にトレーと把持ハンドルとを支柱部上の離間した部位に別々に設けた場合、支柱部からの張り出し部位が支柱部の離間した箇所に複数でき、見栄えが低下することが懸念される。
また、物品を載置するトレー上には、載置した物品の落下を規制する規制部があることが望ましい。このため、上記のようにトレーと把持ハンドルとを支柱部上の離間した部位に別々に設ける場合にも、トレーに規制部を設けることを検討している。しかし、この場合、規制部を備えたトレーを採用すると、上述のように見栄えが低下するばかりでなく、支柱部上での占有スペースが大きくなってしまう。
【０００７】
そこでこの発明は、見栄えの低下や占有スペースの増大を招くことなく、利便性の向上と操作性の向上を図ることのできる点滴スタンドを提供しようとするものである。
【課題を解決するための手段】
【０００８】
この発明では、上記課題を解決するために以下の構成を採用した。
この発明に係る点滴スタンドは、上下方向に沿って延出する支柱部に、輸液パックが輸液吊り下げ具を介して吊り下げ支持される点滴スタンドであって、物品が載置可能な物品載置面を有するトレーと、前記トレーの物品載置面の少なくとも一部の上方に配置され前記トレー上に載置された物品の落下を規制するガイド部材と、を備え、前記ガイド部材が、前記トレーの上方に所定距離離間して配置されるとともに、前記ガイド部材と前記トレーの間に、操作者が前記ガイド部材を把持ハンドルとして把持可能な把持空間部が設けられていることを特徴とするものである。
これにより、トレー上の物品載置面に物品を載せ置くと、その物品の落下がガイド部材によって規制されるようになる。また、患者や看護師等の操作者は、トレーの上方のガイド部材を把持ハンドルとして把持することにより、点滴スタンドを操作できるようになる。また、トレーとガイド部材は支柱部の上下方向で大きく離間して配置されることがなくなる。
【０００９】
前記トレーには、前記支柱部が上下方向に挿通される挿通孔が設けられていることが望ましい。この場合、支柱部がトレーの外側に配置されないことから、支柱部からのトレーの張り出し量が小さく抑えられる。
【００１０】
前記挿通孔は、上面視で、前記トレーの中心からオフセットした位置に設けられるようにしても良い。この場合、トレー上に支柱部と干渉しない纏まった物品載置スペースを確保することが可能になる。
【００１１】
前記トレーの外周縁部に沿う上方位置に前記ガイド部材が配設されることが望ましい。この場合、トレーの上面のほぼ全域を物品載置面として利用することが可能になる。
【００１２】
前記ガイド部材は、上面視で、内周面が前記トレーの外周面よりも外側、若しくは、略同一位置となるように形成されることが好ましい。この場合、ガイド部材が平面視でトレーよりも内側に位置しないことから、トレーの上面のほぼ全域を物品載置面として有効利用することが可能になるうえ、操作者がガイド部材を把持ハンドルとして把持するときに、トレーが邪魔になりにくくなる。
【００１３】
前記ガイド部材は、上面視で、前記トレーの外縁形状と相似形状をなすように形成されるようにしても良い。この場合、外観バランスが良好になり、外部からの見栄えの低下が生じなくなる。
【００１４】
前記ガイド部材は、上面視で、環状をなすように形成されることが望ましい。この場合、操作者がガイド部材を把持ハンドルとして把持するときに、いずれの方向からもガイド部材を把持することが可能になる。
【発明の効果】
【００１５】
この発明によれば、トレーの所定距離上方側のガイド部材を、物品の落下を規制する規制部と把持ハンドルとして機能させることができるため、トレーと把持ハンドルが支持軸上で離間して配置されることによる見栄えの低下や占有スペースの増大を招くことなく、トレー上への物品載置と操作者が把持しての点滴スタンドの容易な操作を実現することができる。
【図面の簡単な説明】
【００１６】
【図１】この発明の第１の実施形態の点滴スタンドの斜視図である。
【図２】この発明の第１の実施形態の点滴スタンドの斜視図である。
【図３】この発明の第１の実施形態の点滴スタンドの一部の斜視図である。
【図４】この発明の第１の実施形態の点滴スタンドの一部の斜視図である。
【図５】この発明の第１の実施形態の点滴スタンドの支柱部を破断した平面図である。
【図６】この発明の第１の実施形態の点滴スタンドの部分断面側面図である。
【図７】この発明の第１の実施形態の点滴スタンドの変形例を示す上面図である。
【図８】この発明の第２の実施形態の点滴スタンドの一部の斜視図（ａ）と支柱部を破断した平面図（ｂ）と変形例の支柱部を破断した平面図（ｃ）を併せて記載した図である。
【図９】この発明の第３の実施形態の点滴スタンドの支柱部を破断した平面図（ａ）と変形例の支柱部を破断した平面図（ｂ）を併せて記載した図である。
【図１０】この発明の第４の実施形態の点滴スタンドの支柱部を破断した平面図（ａ）と変形例の支柱部を破断した平面図（ｂ）を併せて記載した図である。
【図１１】この発明の第５の実施形態の点滴スタンドの支柱部を破断した平面図である。
【発明を実施するための形態】
【００１７】
以下、この発明の実施形態を図面に基づいて説明する。
最初に、図１〜図６に示す第１の実施形態について説明する。なお、以下で説明する各実施形態やその変形例においては、同一部分に同一符号を付して重複する説明を省略するものとする。
図１，図２は、この実施形態に係る点滴スタンド１の外観を示す斜視図である。
点滴スタンド１は、病院や介護施設、自宅等の床面上に載置される脚部ブロック２と、脚部ブロック２に支持されて上下方向に沿って延出する支柱部３と、支柱部３の上端部に取り付けられ、輸液パックＰを吊り下げ支持する輸液吊り下げ具４と、を備えている。
【００１８】
脚部ブロック２は、支柱部３の下端を保持するボス部１０の外周側に５本の脚フレーム１１が放射状に延設され、各脚フレーム１１の延出端にキャスタ１２が取り付けられている。したがって、この実施形態の脚部ブロック２は、キャスタ１２を介して床面上を移動可能にされている。なお、この実施形態の場合、実際にはボス部１０や脚フレーム１１の上方側が樹脂製のカバー部材１３によって覆われているが、図１，図２においては、図示都合上、カバー部材１３上のボス部１０や脚フレーム１１に対応する箇所に符号１０，１１を付している。
【００１９】
この実施形態の場合、支柱部３は、下端が脚部ブロック２に取り付けられる中空状のアウタ支柱３Ａと、上端に輸液吊り下げ具４が取り付けられる中空状のインナ支柱３Ｂと、を備え、支柱部３の下部領域がアウタ支柱３Ａの上部に摺動自在に嵌入されている。アウタ支柱３Ａの内部には、アウタ支柱３Ａとインナ支柱３Ｂの相対位置を固定するための図示しないロック機構が装備され、そのロック機構を解除することにより、アウタ支柱３Ａとインナ支柱３Ｂの相対位置（支柱部３の伸縮長さ）を適宜調整できるようになっている。
【００２０】
インナ支柱３Ｂの上下方向の略中間部には、前記ロック機構を解除操作するための解除操作スリーブ１４が設置されている。この解除操作スリーブ１４は、インナ支柱３Ｂの内部においてロック機構のロック解除片に接続され、看護師等の操作者によって上方にスライド操作されたときにロック機構を解除し、下方に戻し操作されたときにロック機構を再度ロック状態に維持するようになっている。
【００２１】
また、この実施形態では、アウタ支柱３Ａには、荷掛けフックアタッチメント１５と、ハンドルアタッチメント１６が昇降調整可能に取り付けられている。
荷掛けフックアタッチメント１５は、アウタ支柱３Ａの外周面に対して締結固定可能なボス部１７と、ボス部１７から相反方向に延出する一対のフック部１８，１８と、を備え、各フック部１８にウロバッグや手荷物１９等を適宜吊り下げ支持できるようになっている。ハンドルアタッチメント１６については後に詳述する。
【００２２】
輸液吊り下げ具４は、支柱部３のインナ支柱３Ｂの上端部に締結固定されるボス部２７と、支柱部３の軸心ｏ回りを取り囲むように上下方向に沿って立設された略方形筒状の周壁２８と、ボス部２７と周壁２８を連結する連結支柱２９と、周壁２８の下端寄りの外側面から外側（支柱部３の軸心ｏの位置される側と逆側）に突出する４つの吊り下げ支持片３０…と、を備えている。
【００２３】
周壁２８は、左右方向の両側の縁部が円弧状に丸みをおびた４つの支持壁３１…が方形状に配置され、隣接する支持壁３１，３１同士が相互に連結された形状とされている。この実施形態の場合、周壁２８全体が硬質の樹脂材料によって方形筒状に一体に形成されている。各支持壁３１の外面３１ａ（支柱部３の軸心ｏの位置される側と逆側の面）は幅方向の中央領域を中心としてほぼ平坦に形成されている。
【００２４】
連結支柱２９は、各支持壁３１の下縁の幅方向の中央位置とボス部２７の外面とを連結するように計４つ設けられている。吊り下げ支持片３０は、金属製の板材によって断面略Ｌ字状に形成され、Ｌ字の一辺を成す部分が対応する支持壁３１の下縁の幅方向の中央位置に取り付けられるとともに、Ｌ字の他辺を成す部分が上方に向かって延出している。吊り下げ支持片３０のＬ字の一辺を成す部分は、その一部を残して先端部領域が対応する支持壁３１と連結支柱２９に挿し込まれ、その状態で対応する連結支柱２９に固定されている。各吊り下げ支持片３０には、図１に示すように、輸液パックＰの吊り下げ孔７が係合可能とされている。なお、図１中の符号８ａは、吊り下げ孔７が形成されている輸液パックＰの上シール部であり、符号９は、図示しない点滴チューブが接続される輸液パックＰの注出筒である。
【００２５】
図３，図４は、ハンドルアタッチメント１６部分を示す斜視図であり、図５は、支柱部３を破断して示すハンドルアタッチメント１６部分の上面図である。また、図６は、一部を断面にしたハンドルアタッチメント１６部分の側面図である。
ハンドルアタッチメント１６は、上面にカップ等の日用品その他の物品２６を載置可能なトレー２１と、トレー２１の上方側に所定距離離間して配置される円環状のハンドル本体２０（ガイド部材）と、トレー２１とハンドル本体２０を連結する一対の連結支柱２２，２２（連結部）と、アウタ支柱３Ａの外周面に対して締結固定可能なボス部２４（取付部）と、を備えている。
【００２６】
トレー２１は、ハンドル本体２０の内周面よりも一回り小さい円形の平板状に形成され、その上面が物品２６を載せ置くための物品載置面２１ａとされている。トレー２１は、ハンドル本体２０の下方側に同軸に配置され、トレー２１の外周上の相反位置において、連結支柱２２，２２によってハンドル本体２０に連結されている。連結支柱２２は、トレー２１の外周側の上面とハンドル本体２０の内周側の下面を連結するように傾斜して配置されている。トレー２１には、その中心部からオフセットした位置に、上下に貫通する挿通孔２３が設けられ、その挿通孔２３にアウタ支柱３Ａが挿通されるようになっている。
この実施形態の場合、トレー２１と連結支柱２２，２２とハンドル本体２０とは、ボス部２４の一部とともに硬質樹脂によって一体に形成されている。
【００２７】
また、ボス部２４は、トレー２１の下面の挿通孔２３と同軸となる位置に設けられている。このボス部２４は、トレー２１の下面に突設された半割円筒状の内筒２４ａと、内筒２４ａの外側に被着される外筒２４ｂとから構成されている。内筒２４ａは、半割部を中心として径方向内側に変形可能にされるとともに、外周面に雄ねじ５０が設けられている。一方、外筒２４ｂは、内筒２４ａの雄ねじ５０と螺合可能な雌ねじ５１を備え、内筒２４ａの雌ねじ５０に締め込むことによって、内筒２４ａを支柱部３（アウタ支柱３Ａ）の外周面に圧接固定できるようになっている。したがって、ボス部２４は、外筒２４ｂの締め込みを緩めることによって、ハンドルアタッチメント１６を支柱部３（アウタ支柱３Ａ）上で移動可能にし、所望の位置で外筒２４ｂを再度締め込むことによってハンドルアタッチメント１６を支柱部３（アウタ支柱３Ａ）に対して固定することができる。
なお、この実施形態の場合、トレー２１はボス部２４を介して支柱部３に直接連結され、ハンドル本体２０（ガイド部材）は、トレー２１を介して支柱部３に間接的に連結されている。
【００２８】
ここで、一対の連結支柱２２，２２によってトレー２１に連結されたハンドル本体２０の下方には、操作者がハンドル本体２０を把持するのに充分な把持空間部２５が確保されている。このため、患者や看護師等の操作者は、脚部ブロック２のキャスタ１２がロックされていなければ、ハンドル本体２０を把持して点滴スタンド１を自由な方向に移動させることができる。
【００２９】
また、ハンドル本体２０は、トレー２１との間に把持空間部２５が確保されているものの、トレー２１の上面からの高さが、カップ等の患者が日常一般に使用する物品２６の高さよりも低く設定され、トレー２１上に載置された物品２６の落下を規制するガイド部材（規制部）としても機能するようになっている。この実施形態の場合、アウタ支柱３Ａが挿通されるトレー２１上の挿通孔２３がトレー２１の中心からオフセットした位置に配置されているため、トレー２１上には、アウタ支柱３Ａと干渉することのない充分な物品配置スペースが確保されている。
また、この実施形態では、ハンドル本体２０の上面は全域が略水平になるように形成されており、必要に応じてハンドル本体２０の上面にも点滴パックＰ等の大型の物品を載置することも可能となっている。
【００３０】
以上のようにこの実施形態に係る点滴スタンド１は、支柱部３に取り付けられるハンドルアタッチメント１６に、物品載置面２１ａを有する平板状のトレー２１と、トレー２１の物品載置面２１ａの上方を取り囲むように配置される環状のガイド部材であるハンドル本体２０と、が設けられ、ハンドル本体２０とトレー２１の間に把持空間部２５が確保されているため、物品２６の載置機能部と把持ハンドル機能部とをコンパクトに集約して支柱部３回りに設置することができる。このため、この実施形態の点滴スタンド１においては、支柱部３回りの見栄えの低下や占有スペースの増大を招くことなく、支柱部３回りへの物品２６の載置と、移動時等における操作者による確実な把持をともに実現することができる。
また、特に、この点滴スタンド１においては、ハンドル本体２０が、トレー２１の物品載置面２１ａ上に載置した物品２６の落下を規制するガイド部材（規制部）としても機能するため、トレー２１上に物品２６を載置した際の利便性をより高めることができる。したがって、この点滴スタンド１の場合、ハンドルアタッチメント１６が物品２６の落下規制機能を備えながらも、占有スペースの増大を抑え、全体の見栄え低下も良好にすることができる。
【００３１】
また、ハンドルアタッチメント１６のトレー２１は側方に延出する連結アーム等を設ければ支柱部３の外側に配置することも可能であるが、この実施形態の点滴スタンド１は、ハンドルアタッチメント１６のトレー２１に挿通孔２３が設けられ、支柱部３がその挿通孔２３に挿通される構造とされているため、支柱部３からのトレー２１の張り出し量をより小さくすることができる。したがって、このことから、この点滴スタンド１では、点滴スタンドとしての利便性と見栄えをより高めることができる。
【００３２】
さらに、この実施形態の点滴スタンド１においては、挿通孔２３が、上面視でトレー２１の中心位置からオフセットした位置に設けられているため、トレー２１上に支柱部３と干渉しない纏まった物品載置スペースを確保することができる。このため、この点滴スタンド１では、トレー２１上への物品２６の載置し易さを確保しつつ、トレー２１の張り出し量を抑制することができる。
ただし、ハンドルアタッチメント１６は、必ずしも、トレー２１の中心位置からオフセットした位置に挿通孔２３を設けなければならないものではなく、図７に示す変形例のように、挿通孔２３をトレー２１の中心位置に設けることも可能である。
【００３３】
また、ハンドルアタッチメント１６のハンドル本体２０は、トレー２１の物品載置面２１ａの少なくとも一部の上方に配置されていれば、必ずしもトレー２１の外周縁部に沿う上方位置に配置されていなくても良いが、この実施形態の点滴スタンド１は、ハンドル本体２０がトレー２１の外周縁部に沿う上方位置に配置されていることから、トレー２１の上面上の広い領域を物品載置面２１ａとしの有効に利用することができる。
特に、この実施形態の場合、ハンドルアタッチメント１６のハンドル本体２０が、上面視で、その内周面がトレー２１の外周面よりも外側位置となるように配置されているため、トレー２１の上面のほぼ全域を物品載置面２１ａとして有効利用することができるうえ、操作者がハンドル本体２０を把持ハンドルとして把持するときに、トレー２１が邪魔になりにくくなるという利点がある。
なお、ハンドル本体２０は、上面視で、その内周面がトレー２１の外周面と略同一位置となるように形成するようにしても良い。
【００３４】
また、この実施形態の点滴スタンド１においては、トレー２１の上方に配置されるハンドルアタッチメント１６のハンドル本体２０がトレー２１の外縁形状と相似形状に形成されているため、外観バランスが良好なものとなり、外部からの見栄えの低下が生じなくなる。
【００３５】
また、ハンドルアタッチメント１６のハンドル本体２０は、トレー２１の物品載置面２１ａの少なくとも一部の上方に配置されていれば、必ずしも環状である必要はないが、この実施形態の点滴スタンド１は、ハンドル本体２０が環状に形成されているため、操作者がハンドル本体２０を把持ハンドルとして把持するときに周域のいずれの方向からも把持でき、操作性が良いという利点がある。
【００３６】
つづいて、図８〜図１１に示す他の実施形態について説明する。図８〜図１１に示す各実施形態は、上述した第１の実施形態とハンドルアタッチメントの構造のみが異なり、他の部分は同様の構造となっている。
図８（ａ），（ｂ）は、第２の実施形態のハンドルアタッチメント１１６部分の斜視図と上面図である。
この実施形態のハンドルアタッチメント１１６は、上面が物品載置面２１ａとされた円板状のトレー２１と、トレー２１の上方側に所定距離離間して配置される円環状のハンドル本体２０（ガイド部材）と、を備え、ハンドル本体２０がトレー２１と同心となるように配置されるとともに、ハンドル本体２０とトレー２１の間に把持空間部２５が確保されている。この実施形態の場合も、ハンドル本体２０の内周面は、トレー２１の外周面よりも一回り大きい円形形状に形成されている。第１の実施形態では、ハンドル本体２０とトレー２１は、円周上の相反位置に配置される一対の連結支柱によって連結されていたが、この実施形態では、ハンドル本体２０とトレー２１が一つの連結支柱１２２によって連結されている。
【００３７】
連結支柱１２２には、ハンドル本体２０の内周面から、トレー２１の外周縁に達する位置まで径方向内側に膨出する台形状の膨出部３３が一体に形成されている。この膨出部３３とトレー２１のこの膨出部３３の連結される部位には、支柱部３のアウタ支柱３Ａが上下方向に挿通される挿通孔２３が形成され、膨出部３３が、ハンドルアタッチメント１１６を支柱部３に取り付ける取付部の少なくとも一部を構成するようになっている。この実施形態の場合、挿通孔２３はトレー２１の中心位置からオフセットした位置に配置されている。なお、ハンドルアタッチメント１１６を支柱部３に直接圧接固定する固定部構造は、膨出部３３に設けるようにしても良いが、第１の実施形態と同様にトレー２１の下面側に設けるようにしても良い。
【００３８】
この実施形態の点滴スタンドは、第１の実施形態と同様の基本的な効果を得ることができるが、ハンドルアタッチメント１１６のハンドル本体２０が円周方向の一箇所で連結支柱１２２によって連結されているため、ハンドル本体２０を操作者が把持ハンドルとして把持するときに、連結支柱１２２と干渉せずに把持できる領域を拡張して操作性を高めることができるとともに、外観品質をより高めることができる。
【００３９】
さらに、この実施形態の場合、ハンドル本体２０とトレー２１を連結する連結支柱１２２に、ハンドルアタッチメント１１６を支柱部３に取り付ける取付部の少なくとも一部を構成する膨出部３３が設けられているため、ハンドルアタッチメント１１６自体をよりコンパクト化することができる。
なお、ここでは、挿通孔２３をトレー２１の中心位置からオフセットした位置に配置する例について説明したが、図８（ｃ）に示す変形例のように挿通孔２３をトレー２１の中心位置に配置するようにしても良い。この変形例の場合、連結支柱１２２には膨出部を設けずに、連結支柱１２２によってトレー２１とハンドル本体２０を斜めに連結するようにしている。
【００４０】
図９（ａ）は、第３の実施形態のハンドルアタッチメント２１６部分の上面図である。
この実施形態のハンドルアタッチメント２１６は、上面が物品載置面２１ａとされた円板状のトレー２１と、トレー２１の上方側に所定距離離間して配置されるハンドル本体２２０（ガイド部材）と、を備え、ハンドル本体２２０とトレー２１の間に把持空間部２５が確保されている。ただし、この実施形態の場合、ハンドル本体２２０は完全な円環形状ではなく、円形の一部が切欠かれた円弧形状とされている。ハンドル本体２２０は、トレー２１と同心となるように配置され、両側の円弧端と円弧の中央領域が３つの連結支柱２２によってトレー２１の外周縁部に連結されている。また、トレー２１は、その中心位置からオフセットした位置に、支柱部３の挿通される挿通孔２３が設けられており、ハンドル本体２２０の内面は、トレー２１の外周面よりも一回り大きい円形形状に形成されている。
また、ハンドル本体２２０の両側の円弧端の間には、上面視で、トレー２１の外周面に向かって略扇状に窪む凹状空間３５が設けられている。
【００４１】
この実施形態の点滴スタンドは、第１の実施形態と同様の基本的な効果を得ることができるが、ハンドルアタッチメント２１６のハンドル本体２２０が、円形の一部が切欠かれた円弧形状に形成され、その両端の円弧端の間に凹状空間３５が設けられているため、例えば、輸液吊り下げ具に吊り下げられた輸液パックに輸液ポンプを接続し、輸液ポンプを介して患者に点滴チューブを接続するような場合に、輸液パックから引き出されたチューブ類を、ハンドル本体２２０と干渉することなく凹状空間３５を通して下方に引き出すことができる。このため、点滴時における作業性と利便性をより高めることができる。
なお、ここでは、挿通孔２３をトレー２１の中心位置からオフセットした位置に配置する例について説明したが、図９（ｂ）に示す変形例のように挿通孔２３をトレー２１の中心位置に配置するようにしても良い。
【００４２】
図１０（ａ）は、第４の実施形態のハンドルアタッチメント３１６部分の上面図である。
この実施形態のハンドルアタッチメント３１６は、上面が物品載置面２１ａとされた円板状のトレー２１と、トレー２１の上方側に所定距離離間して配置されるハンドル本体３２０（ガイド部材）と、を備え、ハンドル本体３２０とトレー２１の間に把持空間部２５が確保されている。ハンドル本体３２０は、円弧状の一対のハンドル片３２０Ａ，３２０Ｂから成り、各ハンドル片３２０Ａ，３２０Ｂの両端部が連結支柱２２によってトレー２１の外周縁部に連結されている。この実施形態では、隣接するハンドル片３２０Ａ，３２０Ｂの各間に凹状空間３５が設けられている。トレー２１上には、支柱部３が上下方向に挿通される挿通孔２３が、トレー２１の中心位置に対して一方の凹状空間３５側にオフセットした位置に設けられている。
【００４３】
この実施形態の点滴スタンドは、基本的に第３の実施形態と同様の効果を得ることができるが、ハンドル本体３２０の円周上の相反位置に二つの凹状空間３５，３５が設けられているため、点滴作業時等にトレー２１回りの複数個所からチューブ類を下方に引き出すことが可能になるため、点滴時における作業性と利便性をより高めることができる。
なお、この実施形態の場合も、図１０（ｂ）に示す変形例のように挿通孔２３をトレー２１の中心位置に配置するようにしても良い。
【００４４】
図１１は、第５の実施形態のハンドルアタッチメント４１６部分の上面図である。
この実施形態のハンドルアタッチメント４１６は、上面が物品載置面２１ａとされた円板状のトレー２１と、トレー２１の上方側に所定距離離間して配置されるハンドル本体４２０（ガイド部材）と、を備え、ハンドル本体４２０とトレー２１の間に把持空間部２５が確保されている。トレー２１上には、支柱部３が上下方向に挿通される挿通孔２３が、トレー２１の中心位置からオフセットした位置に設けられている。ハンドル本体４２０は、半円状の円弧部４２０ａと、その円弧部４２０ａの両端部を直線状に連結する直線部４２０ｂと、を有する略Ｄ字状に形成され、トレー２１の上方側の支柱部３から外側にオフセットした位置に配置されている。ハンドル本体４２０の円弧部４２０ａは、トレー２１の外径よりも一回り大きい外径に形成され、トレー２１の中心と同心となるように３つの連結支柱２２によってトレー２１の外周縁部に連結されている。また、ハンドル本体４２０の直線部４２０ｂは、支柱部３の外側にオフセットした位置でトレー２１の上方を横切るように配置されている。この実施形態では、ハンドル本体４２０の直線部４２０ｂの外側には略半円状の空間４３５が設けられている。
【００４５】
この実施形態の点滴スタンドは、基本的に第３，第４の実施形態とほぼ同様の効果を得ることができるが、ハンドル本体４２０が略Ｄ字状に形成されて、そのハンドル本体４２０の外側に支柱部３が配置されるとともに、ハンドル本体４２０の外側に略半円状の空間４３５が設けられていることから、ハンドル本体４２０の外側に隣接する位置に、チューブ類を下方に引き出すためのスペースをより大きく確保することができるとともに、トレー２１の物品載置面２１ａ上に載置した物品が支柱部３と干渉するのを防止することができる。
【００４６】
なお、この発明は上記の実施形態に限定されるものではなく、その要旨を逸脱しない範囲で種々の設計変更が可能である。例えば、上述した各実施形態では、ハンドルアタッチメントのトレー部分が支柱部に取り付けられるようになっているが、トレー部分ではなくハンドル本体部分が支柱部に取り付けられるようにしたり、トレー部分とハンドル本体部分の両方が支柱部に取り付けられるようにしたりすることも可能である。
【符号の説明】
【００４７】
１  点滴スタンド
３  支柱部
４  輸液吊り下げ具
２０  ハンドル本体（ガイド部材）
２１  トレー
２１ａ  物品載置面
２３  挿通孔
２５  把持空間部
Ｐ  点滴パック
２２０  ハンドル本体（ガイド部材）
３２０  ハンドル本体（ガイド部材）
４２０  ハンドル本体（ガイド部材）
【図１】
2014233399.tif 000003
【図２】
2014233399.tif 000004
【図３】
2014233399.tif 000005
【図４】
2014233399.tif 000006
【図５】
2014233399.tif 000007
【図６】
2014233399.tif 000008
【図７】
2014233399.tif 000009
【図８】
2014233399.tif 000010
【図９】
2014233399.tif 000011
【図１０】
2014233399.tif 000012
【図１１】
2014233399.tif 000013